(57)【要約】【課題】磁石を用いたスライド機構において、操作性を向上し、また、衝撃の緩和になるスライド機構を有する携帯端末を提供する。【解決手段】第１筐体１０の第１磁石１は、第２筐体２０と対面する側にＳ極が配置され、主面に垂直な方向にＮ極が配置される。第２筐体２０の第２磁石２と第３磁石３は、磁極がスライド方向の同一線上に、第２磁石２のＮ極、同Ｓ極、第３磁石３のＳ極、同Ｎ極の順序となる配置である。すなわち、中側にＳ極、外側にＮ極となる。スライド力は、中間位置の手前のＰ３、Ｐ７において零となるポイントがあり、ユーザ操作のスムーズ化、およびスライド最終位置での衝撃の緩和になる。また、スライド領域全てにおいて、浮き上がり力が発生し、主面に垂直な方向の摩擦を緩和することができ、スムーズな動きとすることができる。【選択図】図２
2010283776.tif 000002
【特許請求の範囲】
【請求項１】
相互にスライドして開閉する第１の筐体と第２の筐体を有する携帯端末であって、
前記第１の筐体は、
前記第２の筐体と対面する側にＳ極が配置され、反対側にＮ極が配置される第１の磁石を有し、
前記第２の筐体は、
両筐体が閉状態で前記第１の磁石と対面する位置に配置される第２の磁石と、
両筐体が開状態で前記第１の磁石と対面する位置に配置される第３の磁石を有し、
前記第２の磁石と第３の磁石の磁極は、スライド方向の同一線上に、第２の磁石のＮ極、同Ｓ極、第３の磁石のＳ極、同Ｎ極の順序となる配置である
ことを特徴とする携帯端末。
【請求項２】
相互にスライドして開閉する第１の筐体と第２の筐体を有する携帯端末であって、
前記第１の筐体は、
前記第２の筐体と対面する側にＮ極が配置され、反対側にＳ極が配置される第１の磁石を有し、
前記第２の筐体は、
両筐体が閉状態で前記第１の磁石と対面する位置に配置される第２の磁石と、
両筐体が開状態で前記第１の磁石と対面する位置に配置される第３の磁石を有し、
前記第２の磁石と第３の磁石の磁極は、スライド方向の同一線上に、第２の磁石のＳ極、同Ｎ極、第３の磁石のＮ極、同Ｓ極の順序となる配置である
ことを特徴とする携帯端末。
【発明の詳細な説明】
【技術分野】
【０００１】
本発明は、筐体スライド式の携帯端末において、使用者が筐体をスライド操作するときに、磁石でアシスト力と保持力を発生する構造の携帯端末に関する。
【背景技術】
【０００２】
筐体スライド式の携帯端末において、使用者のスライド操作を滑らかに行うために、バネや磁石によるアシスト及び保持が行われている。  
このような磁石を用いたスライド機構がある（例えば、特許文献１参照。）。この特許文献１のスライド機構について、磁力の状態を次に説明する。  
図３は、特許文献１の図１２C、図１２D、段落番号［００４６］の記載をもとに、磁力の状態を追記したものである。図３の（Ａ）は閉じた位置、（Ｃ）は開いた位置である。筐体２０４には、１個の磁石４０２が備わる。筐体２０２には、２個の磁石４０４、４０６が備わる。
【０００３】
この磁石２個の筐体２０２を基準にして、磁石１個の筐体２０４の磁石４０２の中心位置が、位置Ｐ１（閉位置）〜Ｐ７(開位置)へとスライドする。（Ｄ）は、その各位置における磁石１個の筐体２０４にかかるスライド方向の磁力の向きを、矢印の向きで表したものである。（Ｅ）は、その各位置における磁石１個の筐体２０４にかかる主面に垂直な方向の反発力、すなわち、浮き上がり力の向きを、矢印の向き及び点線グラフで表したものである。
【０００４】
（Ｄ）において、スライド力は、Ｐ１（閉位置）では、磁石４０２と４０４のそれぞれの中心位置が合っているので、ほぼ零である。Ｐ２、Ｐ３では、Ｐ１（閉位置）へ戻ろうとする右向きの力が発生する。Ｐ４（中間位置）は磁石４０２が磁石４０４と４０６のほぼ真ん中であり、スライド力は零である。ただし、不安定な状態で左右どちらかに転じる。Ｐ５、Ｐ６では、Ｐ７（開位置）へ移動する左向きの力が発生する。Ｐ７（開位置）では、磁石４０２と４０６のそれぞれの中心位置が合っているので、ほぼ零である。
【０００５】
このようなスライド力の発生に対して、ユーザが、Ｐ１（閉位置）から、Ｐ２、Ｐ３の右方向のスライド力に逆らって左方向へ押し、Ｐ４（中間位置）を超えると、あとは、左向きのスライド力により、Ｐ５、Ｐ６を経て、Ｐ７（開位置）までスライドして保持される。
【０００６】
したがって、ユーザは、スライド距離の半分の位置までは押し続ける必要がある。また、半分の位置を超えると、スライド力により一気にスライドする。
【０００７】
（Ｅ）において、浮き上がり力は、Ｐ１（閉じた位置）とＰ７（開いた位置）では、磁石が主面に垂直な方向で引き合う吸着力が発生する。Ｐ２あたりからＰ６あたりまでは、主面に垂直な方向で反発による浮き上がり力が発生する。
【０００８】
また、同様に磁石を用いたスライド型携帯端末がある（例えば、特許文献２参照。）。こ特許文献２のスライド機構について、磁力の状態を次に説明する。  
図４は、特許文献２の図５、段落［００４８〜６０］の記載をもとに、磁力の状態を追記したものである。図４の（Ａ）は閉じた状態、（Ｃ）は開いた状態である。筐体３には、１個の磁石２１が備わる。筐体２には、３個の磁石８Ａ、８Ｂ、８Ｃが備わる。各磁石の筐体同士が対面する側の磁極を（括弧）で示す。
【０００９】
この磁石３個の筐体２を基準にして、磁石１個の筐体３の磁石２１の中心位置が、位置Ｐ１（閉位置）〜Ｐ７(開位置)へとスライドする。（Ｄ）は、その各位置における磁磁石１個の筐体３にかかるスライド方向の磁力の向きを、矢印の向きで表したものである。（Ｅ）は、その各位置における磁石１個の筐体３にかかる主面に垂直方向の反発力、すなわち、浮き上がり力の向きを、矢印の向き及び点線グラフで表したものである。
【００１０】
（Ｄ）において、スライド力は、図３に比べて、Ｐ１（閉位置）とＰ７(開位置)でスライド力が発生しているが、他はほぼ同様である。ただし、Ｐ３、Ｐ５あたりでのスライド力は、長い磁石８Ｂの中での磁石２１のスライドなので、図３に比べるとスライド力は小さい。  
このようなスライド力の発生に対して、ユーザが、Ｐ１（閉位置）から、Ｐ２、Ｐ３の右方向のスライド力に逆らって左方向へ押し、Ｐ４を超えると、あとは、左向きのスライド力により、Ｐ５、Ｐ６を経て、Ｐ７（開位置）までスライドして保持される。
【００１１】
したがって、ユーザは、スライド距離の半分の位置までは押し続ける必要がある。また、半分の位置を超えると、スライド力により一気にスライドする。
【００１２】
（Ｅ）において、浮き上がり力は、Ｐ１（閉じた位置）とＰ７（開いた位置）では、磁石が主面に垂直な方向で引き合う吸着力が発生する。Ｐ２あたりからＰ６あたりまでは、主面に垂直な方向で反発による浮き上がり力が発生する。
【先行技術文献】
【特許文献】
【００１３】
【特許文献１】特開２００８−１１３０６７号公報（段落００４６、図１２C、図１２D）
【特許文献２】特開２００７−２８８４３６号公報（頁７〜１３、図１〜図１４）
【発明の概要】
【発明が解決しようとする課題】
【００１４】
従来の特許文献１および２では、ユーザがスライドさせるとき、スライド距離の半分の位置まで押し続ける必要があり、操作性がよくない。また、半分の位置を超えると、スライド力により一気にスライドするので、停止時の衝撃も大きく、その緩衝を十分に行う必要があるという問題がある。また、主面に垂直な方向の吸着力が発生しており、操作が重く感じる。
【００１５】
本発明は、磁石を用いたスライド機構において、操作性を向上し、また、衝撃の緩和になるスライド機構を有する携帯端末を提供することを目的とする。
【課題を解決するための手段】
【００１６】
上記目的を達成するために、本発明の携帯端末は、相互にスライドして開閉する第１の筐体と第２の筐体を有する携帯端末であって、前記第１の筐体は、前記第２の筐体と対面する側にＳ極が配置され、反対側にＮ極が配置される第１の磁石を有し、前記第２の筐体は、両筐体が閉状態で前記第１の磁石と対面する位置に配置される第２の磁石と、両筐体が開状態で前記第１の磁石と対面する位置に配置される第３の磁石を有し、前記第２の磁石と第３の磁石の磁極は、スライド方向の同一線上に、第２の磁石のＮ極、同Ｓ極、第３の磁石のＳ極、同Ｎ極の順序となる配置であることを特徴とする。
【発明の効果】
【００１７】
本発明によれば、磁石を用いたスライド機構において、操作性を向上し、また、衝撃を低減することができる。
【図面の簡単な説明】
【００１８】
【図１】本発明の実施例に係る携帯端末１００の外観斜視図。
【図２】本発明の実施例に係る携帯端末１００の磁石配置を説明する側面図。
【図３】従来の磁石配置を説明する側面図（特許文献１）。
【図４】従来の磁石配置を説明する側面図（特許文献２）。
【発明を実施するための形態】
【００１９】
図１は、本発明の実施例に係る携帯端末１００の外観斜視図である。携帯端末１００は、第１筐体１０と第２筐体２０を有し、両筐体は相互にスライド方向にスライドする。第１筐体１０の内部には、一方の側面側に第１磁石１を備え、第２筐体２０の内部には、第１磁石１と同じ一方の側面側に第２磁石２と第３磁石３を備える。
【００２０】
これらの３個の磁石はスライド方向の同一線上に配置されており、ユーザのスライド操作に伴って、磁力によるアシスト及び保持を行う。
【００２１】
なお、上記３個の磁石は、一方の側面側に一組として設けたが、一方の側面と他方の側面との間の中心部分のスライド方向の同一線上に一組として設けてもよい。また、一方の側面側の一組とは別に、他方の側面側のスライド方向の同一線上に、もう一組設けてもよい。
【００２２】
図２は、本発明の実施例に係る携帯端末１００の磁石配置を説明する側面図である。図２の（Ａ）は閉じた位置であり、第１筐体１０は、ストッパー（不図示）により、この位置より右側へはスライドできない。（Ｂ）は中間位置である。（Ｃ）は開いた位置であり、第１筐体１０は、ストッパー（不図示）により、この位置より左側へはスライドできない。第１筐体１０には、第１磁石１が備わる。第２筐体２０には、第２磁石２と第３磁石３が備わる。
【００２３】
第１筐体１０の第１磁石１は、第２筐体２０と対面する側にＳ極が配置され、主面に垂直な方向で反対側にＮ極が配置される。第２筐体２０の第２磁石２と第３磁石３は、磁極がスライド方向の同一線上に、第２磁石２のＮ極、同Ｓ極、第３磁石３のＳ極、同Ｎ極の順序となる配置である。すなわち、中側にＳ極、外側にＮ極となる。
【００２４】
この磁石２個の第２筐体２０を基準にして、磁石１個の第１筐体２０の第１磁石１の中心位置が、位置Ｐ１（閉位置）〜Ｐ９(開位置)へとスライドする。（Ｄ）は、その各位置における磁石１個の第１筐体１０にかかるスライド方向の磁力の向きを、矢印の向きで表したものである。（Ｅ）は、その各位置における磁石１個の第１筐体１０にかかる主面に垂直な方向の反発力、すなわち、浮き上がり力の向きを、矢印の向き及び点線グラフで表したものである。
【００２５】
（Ｄ）において、スライド力は、Ｐ１（閉位置）では、第１磁石１が第２磁石２のＳ極とＮ極の中心部分にあるので、第１磁石１のＳ極と第２磁石２のＳ極の反発および、第１磁石１のＳ極と第２磁石２のＮ極の引き合いにより、右方向のスライド力が発生して閉止している。Ｐ２では、Ｐ１と同様であり、Ｐ１（閉位置）へ戻ろうとする右向きの力が発生する。
【００２６】
Ｐ３は、第１磁石１のＳ極の中心点が、第２磁石２のＳ極の中心点より若干左側の位置であり、左方向への若干のスライド力がかかる。しかし、第１磁石１のＳ極と第２磁石２のＮ極の引き合いもまだ若干残っており、差し引きで零となる。
【００２７】
さらに左側の位置Ｐ４では、第１磁石１のＳ極と第２磁石２のＳ極の反発が強くなり、左方向のスライド力が発生する。
【００２８】
Ｐ５（中間位置）では、第１磁石１と第２磁石２の反発力、および第１磁石１と第３磁石３反発力とが拮抗して、スライド力は零である。
【００２９】
Ｐ６、Ｐ７、Ｐ８、Ｐ９（開位置）でのスライド力は、Ｐ４、Ｐ３、Ｐ２、Ｐ１（閉位置）と対象のスライド力が発生する。
【００３０】
このようなスライド力の発生に対して、ユーザが、Ｐ１（閉位置）から、Ｐ１、Ｐ２の右方向のスライド力に逆らって第１筐体１０を左方向へ押すと、中間位置Ｐ５よりも早めのＰ３でユーザ操作に対する反発力がなくなり、Ｐ４で左方向へのアシスト力が発生し、Ｐ５（中間位置）手前までアシストされる。そして、ユーザは、再び、Ｐ６で右方向のスライド力に逆らって左方向へ押し、Ｐ７を過ぎると、Ｐ８、Ｐ９（開位置）での左方向のスライド力によりＰ９（開位置）に保持される。
【００３１】
これにより、ユーザは、Ｐ５(中間)まで押し続けなくてもアシストされる。また、Ｐ９（開位置）に保持されるときも、Ｐ８からのスライド力なので、衝撃が緩和される。
【００３２】
（Ｅ）において、浮き上がり力は、主面に垂直な方向に関して、Ｐ１(閉位置)では、第１磁石１のＳ極と第２磁石２のＳ極による反発と、第１磁石１のＳ極と第２磁石２のＮ極による吸引とが拮抗して、ほぼ零となり、全体に対して吸引力は発生しない。Ｐ９(開位置)でも同じである。
【００３３】
Ｐ１(閉位置)とＰ９(開位置)との間の位置では、第１磁石１のＳ極と第２磁石２のＳ極による反発、および第１磁石１のＳ極と第２磁石２のＮ極による反発とで、浮き上がり力が発生する。
【００３４】
ユーザが、第１筐体１０をスライドさせるときには、第１筐体１０の端面を押すよりは、第１筐体１０の主面側を親指で押しながらスライドさせることが多い。このため、主面に垂直な下向きの力で、第１筐体１０と第２筐体２０との摩擦が増えるおそれがあるが、全てのスライド領域で上向きの浮き上がり力が発生しているため、摩擦が低減してスムーズにスライドさせることができる。
【００３５】
以上説明したように、本発明の実施例によれば、ユーザが筐体をスライドさせるとき、スライド距離の半分の位置よりも手前の位置で、磁石によるアシスト力が発生して、スムーズな動きとすることができる。また、スライドの最終位置での磁石による衝撃を緩和することができる。また、主面に垂直な方向の摩擦を緩和することができ、スムーズな動きとすることができる。
【００３６】
なお、各磁石の磁極の配置は、全て反対にしてもよい。すなわち、第１磁石１のＳ極とＮ極の配置を反対にし、第２磁石２のＳ極とＮ極の配置を反対にし、第３磁石のＳ極とＮ極の配置を反対にしてもよい。
【００３７】
また、従来、スライドのアシストとして使われているスライド用のバネを、磁石と併用してもよい。これにより、バネの大きさや巻数を小さくできて、携帯端末を小型、薄型にすることができる。  
また、本発明の携帯端末は、携帯電話機、ＰＨＳ、ゲーム機等のスライド式の構造に適用することができる。
【符号の説明】
【００３８】
１  第１磁石
２  第２磁石
３  第３磁石
１０  第１筐体
２０  第２筐体
１００  携帯端末
【図１】
2010283776.tif 000003
【図２】
2010283776.tif 000004
【図３】
2010283776.tif 000005
【図４】
2010283776.tif 000006